(57)【要約】  本発明に係る皮下注射針のプロテクター（１０）は、針アセンブリ（２２，２４）と注射器シリンダ（１８）の一部とに適合するように構成された開放端部を有するとともに、針アセンブリの針を通すことができる開口部を有する閉塞端部（３２）を有する、スリーブと、針アセンブリ（２２，２４）と係合する開口部（３４）が設けられた位置決め部材（４４）であって、当該位置決め部材（４４）を取り外し可能なかたちで係合するための少なくとも１つの構造を有する上記スリーブの内部に配設された位置決め部材（４４）と、上記位置決め部材（４４）と上記スリーブの上記閉塞端部（３２）との間の上記スリーブの内部に配設された付勢部材（４８）と、を備えている。使用時には、閉塞端部に抗して患者の皮膚によって及ぼされる逆圧が、位置決め部材を上記構造から回転可能に開放して、スリーブを操作位置から開放して安静位に付勢するようにして、患者から抜き取られた範囲の針をスリーブが覆う。
2011519700.tif 000002
【特許請求の範囲】
【請求項１】
針アセンブリと注射器シリンダの一部とに適合するように構成された開放端部を有するとともに、針アセンブリの針を通すことができる開口部を有する閉塞端部を有する、スリーブと、
針アセンブリと係合する開口部が設けられた位置決め部材であって、当該位置決め部材を取り外し可能なかたちで係合するための少なくとも１つの構造を有する上記スリーブの内部に配設された位置決め部材と、
上記位置決め部材と上記スリーブの上記閉塞端部との間の上記スリーブの内部に配設された付勢部材と、
を備えていることを特徴とする、皮下注射針のプロテクター。
【請求項２】
上記スリーブは、当該スリーブの長手方向に延びる軸に沿って安静位と操作位置との間を移動可能であることを特徴とする請求項１に記載の、皮下注射針のプロテクター。
【請求項３】
上記付勢部材は、上記位置決め部材と一体的に構成されていることを特徴とする請求項１または２に記載の、皮下注射針のプロテクター。
【請求項４】
上記皮下注射針のプロテクターの使用時には、上記構造に上記位置決め部材を係合させることによって、上記スリーブが、安静位および操作位置の少なくとも何れかに、取り外し可能なかたちで保持されることを特徴とする請求項１から３までの何れか１項に記載の、皮下注射針のプロテクター。
【請求項５】
上記位置決め部材は、上記スリーブの上記構造に係合したり外したりして、当該スリーブの長手方向に延びる軸に沿って回転可能で移動可能な構成であることを特徴とする請求項１から４までの何れか１項に記載の、皮下注射針のプロテクター。
【請求項６】
上記スリーブには、上記位置決め部材が長手方向に移動するのを可能にする長手方向に沿ったチャネルが、少なくとも１つ設けられていることを特徴とする請求項１から５までの何れか１項に記載の、皮下注射針のプロテクター。
【請求項７】
上記スリーブには、少なくとも２つのチャネルがあり、
上記位置決め部材には、当該スリーブに設けられた当該チャネルの数とコンプリメンタリーで、且つ、当該チャネルに係合する位置に、ピンが設けられていることを特徴とする請求項６に記載の、皮下注射針のプロテクター。
【請求項８】
上記位置決め部材は、上記閉塞端部に対抗する作動力が働くことによって上記操作位置から外れることを特徴とする請求項１から７までの何れか１項に記載の、皮下注射針のプロテクター。
【請求項９】
上記閉塞端部に近接した上記スリーブの内部に、付勢部材に係合するステップが設けられていることを特徴とする請求項１から８までの何れか１項に記載の、皮下注射針のプロテクター。
【請求項１０】
上記付勢部材によって係合される部分である上記ステップの表面は、傾斜していて、且つ、上記スリーブから離れていくに従って細くなっていることを特徴とする請求項９に記載の、皮下注射針のプロテクター。
【請求項１１】
上記閉塞端部は、使用時に針が通過する内部ガイドチャネルを有していることを特徴とする請求項１から１０までの何れか１項に記載の、皮下注射針のプロテクター。
【請求項１２】
上記内部ガイドチャネルは、そのベース部分にロック機構を有しており、上記位置決め部材は、当該ロック機構を通じて、回転可能にガイドされ且つ固定されることを特徴とする請求項１から１１までの何れか１項に記載の、皮下注射針のプロテクター。
【請求項１３】
上記ロック機構は、上記内部ガイドチャネルに係合したピンが通過する狭い部分を、当該チャネルの上記ベース部分に沿って有しており、且つ、当該ピンが収容される拡張部分を有していることを特徴とする請求項１２に記載の、皮下注射針のプロテクター。
【請求項１４】
皮下注射針のプロテクターは、上記閉塞端部に向かって先細いテーパー形状を有していることを特徴とする請求項１から１３までの何れか１項に記載の、皮下注射針のプロテクター。
【請求項１５】
上記開口部を覆う位置にシールが配設されていることを特徴とする請求項１から１４までの何れか１項に記載の、皮下注射針のプロテクター。
【発明の詳細な説明】
【発明の詳細な説明】
【０００１】
〔技術分野〕
本発明は皮下注射針のカバーに関する。
【０００２】
〔当該分野の状況〕
皮下注射器アセンブリは、その一端にノズル部を有したシリンダと、プランジャー、と、当該ノズル部に配設される針アセンブリとを具備している。針アセンブリには、ノズル部を覆う取り外し可能で信頼性のある、プラスチックをベースとした保護体によって保護された針が設けられている。
【０００３】
皮下注射針による針刺し事故は、特に今日におけるＨＩＶ／ＡＩＤＳを考慮すれば、大きな懸念事項である。周知の針アセンブリは、断面がベースとほぼ同じであるカバーを有している。このカバーは、針を使用するときに取り外され、針を使用した後に取り付けられる。あるいは、針アセンブリは、針を提供している容器に配設されている。しかし、針がカバーされるかあるいは廃棄されるときまでは針刺し事故が発生する危険がある。したがって、プロテクターや保護体が開発されている。開発されたプロテクターは、シリンダ内部に針を収容し、使用後には、付勢手段を介して少なくとも針先を自動的に覆うというものである。
【０００４】
本発明は、簡易で信頼のある、皮下注射針アセンブリのプロテクターを提供することを目的としている。
【０００５】
〔発明の概要〕
本発明に係る皮下注射針のプロテクターは、
針アセンブリと注射器シリンダの一部とに適合するように構成された開放端部を有するとともに、針アセンブリの針を通すことができる開口部を有する閉塞端部を有する、スリーブと、
針アセンブリと係合する開口部が設けられた位置決め部材であって、当該位置決め部材を取り外し可能なかたちで係合するための少なくとも１つの構造を有する上記スリーブの内部に配設された位置決め部材と、
上記位置決め部材と上記スリーブの上記閉塞端部との間の上記スリーブの内部に配設された付勢部材と、
を備えている。
【０００６】
また上記皮下注射針のプロテクターは、好ましくは、上記スリーブは、当該スリーブの長手方向に延びる軸に沿って安静位と操作位置との間を移動可能である。安静位においてはスリーブが針を覆い、操作位置においては針がスリーブの閉塞端部を通って突出する。
【０００７】
また上記皮下注射針のプロテクターは、好ましくは、上記付勢部材は、上記位置決め部材と一体的に構成されている。
【０００８】
また上記皮下注射針のプロテクターは、好ましくは、上記構造に上記位置決め部材を係合させることによって、上記スリーブが、安静位および操作位置の少なくとも何れかに、取り外し可能なかたちで保持される。
【０００９】
また上記皮下注射針のプロテクターは、好ましくは、上記位置決め部材は、上記スリーブの上記構造に係合したり外したりして、当該スリーブの長手方向に延びる軸に沿って回転可能で移動可能な構成である。
【００１０】
また上記皮下注射針のプロテクターは、好ましくは、上記スリーブには、上記位置決め部材が長手方向に移動するのを可能にする長手方向に沿ったチャネルが、少なくとも１つ設けられている。また、当該皮下注射針のプロテクターは、上記スリーブには、少なくとも２つのチャネルがあって、上記位置決め部材には、当該スリーブに設けられた当該チャネルの数とコンプリメンタリーで、且つ、当該チャネルに係合する位置に、ピンが設けられていてもよい。当該ピンは、スリーブ内での位置決め部材の移動を安定化させることができる。
【００１１】
また上記皮下注射針のプロテクターは、好ましくは、上記位置決め部材は、上記閉塞端部に対抗する作動力が働くことによって上記操作位置から外れる構成となっている。上記皮下注射針のプロテクターの使用時には、突出した針は患者に挿入されていてスリーブが患者の皮膚と係合している。上記作動力は、閉塞端部に抗して患者の皮膚によって及ぼされる逆圧であり、これにより、位置決め部材は上記構造から回転可能に開放されて、スリーブが操作位置から開放されて、安静位に付勢されるようになる。付勢部材は、スリーブに患者から抜かれた針を覆うようにさせて、且つ、患者から抜かれるとその針を最終的には全体的に覆うようにする。このように使用後に患者から抜き取られた針を露出させることなくスリーブによって自動的に覆うので、針刺しのリスクを低減させることができる。
【００１２】
また上記皮下注射針のプロテクターは、好ましくは、上記閉塞端部に近接した上記スリーブの内部に、付勢部材に係合するステップが設けられている。
【００１３】
また上記皮下注射針のプロテクターは、好ましくは、上記付勢部材によって係合される部分である上記ステップは、傾斜していて、且つ、上記スリーブから離れていくに従って細くなっている。使用時には、当該傾斜した面が位置決め部材と係合して位置決め部材にその安静位へ向けた張力がかけられる。
【００１４】
また上記皮下注射針のプロテクターは、好ましくは、上記閉塞端部は、使用時に針が通過する内部ガイドチャネルを有している。
【００１５】
また上記皮下注射針のプロテクターは、好ましくは、上記閉塞端部に向かって先細いテーパー形状を有している。これにより、使用者が、患者に挿入される針を容易に目視することができる。
【００１６】
また上記皮下注射針のプロテクターは、好ましくは、上記内部ガイドチャネルは、そのベース部分にロック機構を有しており、上記位置決め部材は、当該ロック機構を通じて、回転可能にガイドされ且つ固定される構成となっている。
【００１７】
また上記皮下注射針のプロテクターは、好ましくは、上記ロック機構は、上記内部ガイドチャネルに係合したピンが通過する狭い部分を、当該チャネルの上記ベース部分に沿って有しており、且つ、当該ピンが収容される拡張部分を有している。使用時には、上記ロック機構が一方向のガイドを形成して上記ピンを通過させ、上記狭い部分の概して上向き壁をもつくぼみに入ったピンは戻りを制限される。
【００１８】
また上記皮下注射針のプロテクターは、好ましくは、上記開口部を覆う位置にシールが配設されている。
【００１９】
本発明の他の特徴点、変形例、および／または、効果は、後述する一形態と図面とにおいて明らかとなるだろう。
【００２０】
〔図面の簡単な説明〕
図１は、本発明に係る針カバーを有した針−注射器アセンブリの側面図である；
図２は、図１に示した線分Ａ−Ａ´における針−針カバーアセンブリを示した側面図である；
図３は、図１に示す針−針カバーアセンブリの透視上面図である；
図４は、針カバーが無い状態の針−注射器アセンブリを示す透視側面図である；
図５は、針アセンブリと、注射器から外したカバーとを示した透視側面図である；
図６は、本発明に係るバネアセンブリの透視上面図である。
【００２１】
〔実施形態〕
図１は、注射器１４に取り付けられた針アセンブリ１２を覆う針カバーまたは針プロテクター１０の側面図である。
【００２２】
注射器１４は、プランジャー１６と、ノズル部２０を有するシリンダ１８とを備えている。針アセンブリ１２は、針２２とベース２４とを有し、当該ベースには下唇２６が設けられている。針アセンブリ１２はノズル部２０に固定されている。
【００２３】
針カバー１０は、針アセンブリ１２と注射器１４の一部とを収容することができるように構成された開放端部３０と、針を通すことができる開口部３４が設けられた閉塞端部３２とを有している。針カバー１０は、内部に長手方向に延びる溝部３６を有しており、当該溝部３６には、側面に沿いつつ且つ閉塞端部３２から離れるように下向きに延びるノッチ３８，４０と、開放端部３０において側面に沿って延びるノッチ４２とが設けられている。ピン４６を有する位置決めリング４４は、針カバー１０の内部に収容されている。位置決めリング４４は、カバー１０の上述したロック構造にて回転可能であるとともに、溝部３６に沿って長手方向に移動可能である。位置決めリング４４は、隙間５０（図２および図４に最もよく示されている）を介して、針ベース２４をしっかりと保持している。下唇２６は、ベース２４上での位置決めリング４４の動きを制限している。ピン４６は、長手方向に延びる溝部３６に沿って位置決めリング４４をガイドするとともに、位置決めリング４４を取り外し可能なかたちで長手方向に延びる溝部３６と係合させるために回転することができる。位置決めリング４４が溝部３６の一部と係合すると、針アセンブリ１２は、針カバー１０に対して長手方向の適切な位置に固定される。位置決めリング４４は、適当なプラスチック材から構成することができ、必要に応じて弾性あるいは剛性を有する。
【００２４】
位置決めリング４４と一体となっているバネ４８は、位置決めリング４４の上端部から、針カバー１０の閉塞端部３２まで延びている。バネ４８は、針カバー１０をその安静位に付勢する。ピン４６が複数の固定フォーメイションの１つに固定されておらず、且つ、針２２が患者に挿入されているときには、針カバー１０は、当該患者の皮膚に支えられて付勢される。これにより、針２２が患者から抜かれると、自動的に当該針２２がカバーされることが可能となる。したがって、使用者は、どの段階においても、血液の付着した針２に曝されることがない。
【００２５】
使用においては、患者の皮膚によって及ぼされる反対圧力が、ピン４６をロック構造から緩ませる。操作可能なロック構造３０，３２からピン４６を離すように付勢するためにバネ４８に張力がかけられて、これにより、当該操作可能なロック構造を避けると同時に、自動的に針カバー１０に針２２をしっかりとカバーする。加えて、張力がかかったバネ４８は、当該操作可能なロック構造に対して反対側にある安静位のロック構造に向けて位置決めリング４４を付勢させる。長手方向に延びる溝部３６にあるピン４６が回転せず且つ調心しない状態では、針２２の偶発的な配置転換は起こらない。
【００２６】
当該操作可能なロック構造は、使用者に所望の操作位置を選択させることを可能にする。当該位置とは、挿入する深さに対応する。
【００２７】
針カバー１０は、注射器ごとの径に適合する径を有して構成される。
【００２８】
本発明は、上述した形態および図に示した詳細に限定されるものではない。本発明の精神に基づいてあらゆる改変が可能である。例えば、針カバーは、バネの自由端に係合するために閉塞端部に向けて配設される内部ステップを有していてもよい。当該ステップは、バネに安静位の固定位置に向けた回転張力をかけるために、１つの傾斜面を有している。位置決めリングは、その周囲に沿って更に複数のピンを有していてもよい。このような位置決めリングは、相互の長手方向の溝に合うように用いられ、これにより、使用中の針に対して付加的な安定を提供することができる。
【００２９】
請求項および発明の概要は、本発明の形態の複合的な特徴を構成している。
【図面の簡単な説明】
【００３０】
【図１】本発明に係る針カバーを有した針−注射器アセンブリの側面図である。
【図２】図１に示した線分Ａ−Ａ´における針−針カバーアセンブリを示した側面図である。
【図３】図１に示す針−針カバーアセンブリの透視上面図である。
【図４】針カバーが無い状態の針−注射器アセンブリを示す透視側面図である。
【図５】針アセンブリと、注射器から外したカバーとを示した透視側面図である。
【図６】本発明に係るバネアセンブリの透視上面図である。
【図１】
2011519700.tif 000003
【図２】
2011519700.tif 000004
【図３】
2011519700.tif 000005
【図４】
2011519700.tif 000006
【図５】
2011519700.tif 000007
【図６】
2011519700.tif 000008
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
針アセンブリと注射器シリンダの一部とに適合するように構成された開放端部を有するとともに、針アセンブリの針を通すことができる開口部を有する閉塞端部を有する、スリーブと、
針アセンブリと係合する開口部が設けられた位置決め部材であって、当該位置決め部材を取り外し可能なかたちで係合するための少なくとも１つの構造を有する上記スリーブの内部に配設された位置決め部材と、
上記位置決め部材と上記スリーブの上記閉塞端部との間の上記スリーブの内部に配設された付勢部材と、
を備えており、
上記スリーブは、当該スリーブの長手方向に延びる軸に沿って安静位と操作位置との間を移動可能であり、
上記位置決め部材は、上記閉塞端部に対抗する作動力が働くことによって上記操作位置から外れることを特徴とする、皮下注射針のプロテクター。
【請求項２】
上記閉塞端部に近接した上記スリーブの内部に、付勢部材に係合するステップが設けられていることを特徴とする請求項１に記載の、皮下注射針のプロテクター。
【請求項３】
上記付勢部材によって係合される部分である上記ステップは、傾斜していて、且つ、上記スリーブから離れていくに従って細くなっていることを特徴とする請求項２に記載の、皮下注射針のプロテクター。
【請求項４】
上記閉塞端部は、上記開口部を通じた上記針の通過をガイドするための内部ガイドチャネルを有していることを特徴とする請求項１から３までの何れか１項に記載の、皮下注射針のプロテクター。
【請求項５】
上記付勢部材は、上記位置決め部材と一体的に構成されていることを特徴とする請求項１から４までの何れか１項に記載の、皮下注射針のプロテクター。
【請求項６】
上記皮下注射針のプロテクターの使用時には、上記構造に上記位置決め部材を係合させることによって、上記スリーブが、安静位および操作位置の少なくとも何れかに、取り外し可能なかたちで保持されることを特徴とする請求項１から５までの何れか１項に記載の、皮下注射針のプロテクター。
【請求項７】
上記位置決め部材は、上記スリーブの上記構造に係合したり外したりして、当該スリーブの長手方向に延びる軸に沿って回転可能で移動可能な構成であることを特徴とする請求項１から６までの何れか１項に記載の、皮下注射針のプロテクター。
【請求項８】
上記スリーブには、上記位置決め部材が長手方向に移動するのを可能にする長手方向に沿ったチャネルが、少なくとも１つ設けられていることを特徴とする請求項１から７までの何れか１項に記載の、皮下注射針のプロテクター。
【請求項９】
上記スリーブには、少なくとも２つのチャネルがあり、
上記位置決め部材には、当該スリーブに設けられた当該チャネルの数とコンプリメンタリーで、且つ、当該チャネルに係合する位置に、ピンが設けられていることを特徴とする請求項１から８までの何れか１項に記載の、皮下注射針のプロテクター。
【請求項１０】
上記内部ガイドチャネルは、そのベース部分にロック機構を有しており、上記位置決め部材は、当該ロック機構を通じて、回転可能にガイドされ且つ固定されることを特徴とする請求項１から９までの何れか１項に記載の、皮下注射針のプロテクター。
【請求項１１】
上記ロック機構は、上記内部ガイドチャネルに係合したピンが通過する狭い部分を、当該チャネルの上記ベース部分に沿って有しており、且つ、当該ピンが収容される拡張部分を有していることを特徴とする請求項１０に記載の、皮下注射針のプロテクター。
【請求項１２】
針アセンブリは、位置決め部材と付勢部材との一体構成と一体的に構成されていることを特徴とする請求項１から１１までの何れか１項に記載の、皮下注射針のプロテクター。
【請求項１３】
皮下注射針のプロテクターは、上記閉塞端部に向かって先細いテーパー形状を有していることを特徴とする請求項１から１２までの何れか１項に記載の、皮下注射針のプロテクター。
【請求項１４】
上記開口部を覆う位置にシールが配設されていることを特徴とする請求項１から１３までの何れか１項に記載の、皮下注射針のプロテクター。
【手続補正書】
【提出日】平成23年1月12日(2011.1.12)
【手続補正１】
【補正対象書類名】明細書
【補正対象項目名】全文
【補正方法】変更
【補正の内容】
【発明の詳細な説明】
【発明の詳細な説明】
【０００１】
〔技術分野〕
本発明は皮下注射針のカバーに関する。
【０００２】
〔当該分野の状況〕
皮下注射器アセンブリは、その一端にノズル部を有したシリンダと、プランジャー、と、当該ノズル部に配設される針アセンブリとを具備している。針アセンブリには、ノズル部を覆う取り外し可能で信頼性のある、プラスチックをベースとした保護体によって保護された針が設けられている。
【０００３】
皮下注射針による針刺し事故は、特に今日におけるＨＩＶ／ＡＩＤＳを考慮すれば、大きな懸念事項である。周知の針アセンブリは、断面がベースとほぼ同じであるカバーを有している。このカバーは、針を使用するときに取り外され、針を使用した後に取り付けられる。あるいは、針アセンブリは、針を提供している容器に配設されている。しかし、針がカバーされるかあるいは廃棄されるときまでは針刺し事故が発生する危険がある。したがって、プロテクターや保護体が開発されている。開発されたプロテクターは、シリンダ内部に針を収容し、使用後には、付勢手段を介して少なくとも針先を自動的に覆うというものである。
【０００４】
本発明は、簡易で信頼のある、皮下注射針アセンブリのプロテクターを提供することを目的としている。
【０００５】
〔発明の概要〕
本発明に係る皮下注射針のプロテクターは、
針アセンブリと注射器シリンダの一部とに適合するように構成された開放端部を有するとともに、針アセンブリの針を通すことができる開口部を有する閉塞端部を有する、スリーブと、
針アセンブリと係合する開口部が設けられた位置決め部材であって、当該位置決め部材を取り外し可能なかたちで係合するための少なくとも１つの構造を有する上記スリーブの内部に配設された位置決め部材と、
上記位置決め部材と上記スリーブの上記閉塞端部との間の上記スリーブの内部に配設された付勢部材と、
を備えている。
【０００６】
また上記皮下注射針のプロテクターは、好ましくは、上記スリーブは、当該スリーブの長手方向に延びる軸に沿って安静位と操作位置との間を移動可能である。安静位においてはスリーブが針を覆い、操作位置においては針がスリーブの閉塞端部を通って突出する。
【０００７】
また上記皮下注射針のプロテクターは、好ましくは、上記付勢部材は、上記位置決め部材と一体的に構成されている。
【０００８】
また上記皮下注射針のプロテクターは、好ましくは、上記構造に上記位置決め部材を係合させることによって、上記スリーブが、安静位および操作位置の少なくとも何れかに、取り外し可能なかたちで保持される。
【０００９】
また上記皮下注射針のプロテクターは、好ましくは、上記位置決め部材は、上記スリーブの上記構造に係合したり外したりして、当該スリーブの長手方向に延びる軸に沿って回転可能で移動可能な構成である。
【００１０】
また上記皮下注射針のプロテクターは、好ましくは、上記スリーブには、上記位置決め部材が長手方向に移動するのを可能にする長手方向に沿ったチャネルが、少なくとも１つ設けられている。また、当該皮下注射針のプロテクターは、上記スリーブには、少なくとも２つのチャネルがあって、上記位置決め部材には、当該スリーブに設けられた当該チャネルの数とコンプリメンタリーで、且つ、当該チャネルに係合する位置に、ピンが設けられていてもよい。当該ピンは、スリーブ内での位置決め部材の移動を安定化させることができる。
【００１１】
また上記皮下注射針のプロテクターは、好ましくは、上記位置決め部材は、上記閉塞端部に対抗する作動力が働くことによって上記操作位置から外れる構成となっている。上記皮下注射針のプロテクターの使用時には、突出した針は患者に挿入されていてスリーブが患者の皮膚と係合している。上記作動力は、閉塞端部に抗して患者の皮膚によって及ぼされる逆圧であり、これにより、位置決め部材は上記構造から回転可能に開放されて、スリーブが操作位置から開放されて、安静位に付勢されるようになる。付勢部材は、スリーブに患者から抜かれた針を覆うようにさせて、且つ、患者から抜かれるとその針を最終的には全体的に覆うようにする。このように使用後に患者から抜き取られた針を露出させることなくスリーブによって自動的に覆うので、針刺しのリスクを低減させることができる。
【００１２】
また上記皮下注射針のプロテクターは、好ましくは、上記閉塞端部に近接した上記スリーブの内部に、付勢部材に係合するステップが設けられている。
【００１３】
また上記皮下注射針のプロテクターは、好ましくは、上記付勢部材によって係合される部分である上記ステップは、傾斜していて、且つ、上記スリーブから離れていくに従って細くなっている。使用時には、当該傾斜した面が位置決め部材と係合して位置決め部材にその安静位へ向けた張力がかけられる。
【００１４】
また上記皮下注射針のプロテクターは、好ましくは、上記閉塞端部は、使用時に針が通過する内部ガイドチャネルを有している。
【００１５】
また上記皮下注射針のプロテクターは、好ましくは、上記閉塞端部に向かって先細いテーパー形状を有している。これにより、使用者が、患者に挿入される針を容易に目視することができる。
【００１６】
また上記皮下注射針のプロテクターは、好ましくは、上記内部ガイドチャネルは、そのベース部分にロック機構を有しており、上記位置決め部材は、当該ロック機構を通じて、回転可能にガイドされ且つ固定される構成となっている。
【００１７】
また上記皮下注射針のプロテクターは、好ましくは、上記ロック機構は、上記内部ガイドチャネルに係合したピンが通過する狭い部分を、当該チャネルの上記ベース部分に沿って有しており、且つ、当該ピンが収容される拡張部分を有している。使用時には、上記ロック機構が一方向のガイドを形成して上記ピンを通過させ、上記狭い部分の概して上向き壁をもつくぼみに入ったピンは戻りを制限される。
【００１８】
また上記皮下注射針のプロテクターは、好ましくは、上記開口部を覆う位置にシールが配設されている。
【００１９】
また、本発明に係る、皮下注射針のプロテクターの他の形態としては、皮下注射針のプロテクターは、
針アセンブリと、円周と開口位置の異なる注射器に用いることができる針プロテクターを実現する注射器シリンダ伸長部の少なくとも一部と、に適合するように構成された開放端部を有するとともに、針アセンブリの針を通すことができる開口部を有する閉塞端部を有する、スリーブと、
針アセンブリと係合する開口部が設けられた位置決め部材であって、当該位置決め部材を取り外し可能なかたちで係合するための少なくとも１つの構造を有する上記スリーブの内部に配設された位置決め部材と、
上記位置決め部材と上記スリーブの上記閉塞端部との間の上記スリーブの内部に配設された付勢部材と、を備えており、
上記スリーブは、当該スリーブの長手方向に延びる軸に沿って安静位と操作位置との間を移動可能であり、
上記位置決め部材は、上記閉塞端部に対抗する作動力が働くことによって上記操作位置から外れる。
【００２０】
本発明の他の特徴点、変形例、および／または、効果は、後述する一形態と図面とにおいて明らかとなるだろう。
【００２１】
〔図面の簡単な説明〕
図１は、本発明に係る針カバーを有した針−注射器アセンブリの側面図である；
図２は、図１に示した線分Ａ−Ａ´における針−針カバーアセンブリを示した側面図である；
図３は、図１に示す針−針カバーアセンブリの透視上面図である；
図４は、針カバーが無い状態の針−注射器アセンブリを示す透視側面図である；
図５は、針アセンブリと、注射器から外したカバーとを示した透視側面図である；
図６は、本発明に係るバネアセンブリの透視上面図である。
【００２２】
図７は、本発明に係るバネアセンブリの透視上面図である。
【００２３】
図８は、本発明に係るバネアセンブリの透視上面図である。
【００２４】
〔実施形態〕
図１は、注射器１４に取り付けられた針アセンブリ１２を覆う針カバーまたは針プロテクター１０の側面図である。  
【００２５】
注射器１４は、プランジャー１６と、ノズル部２０を有するシリンダ１８とを備えている。針アセンブリ１２は、針２２とベース２４とを有し、当該ベースには下唇２６が設けられている。針アセンブリ１２はノズル部２０に固定されている。
【００２６】
針カバー１０は、針アセンブリ１２と注射器１４の一部とを収容することができるように構成された開放端部３０と、針を通すことができる開口部３４が設けられた閉塞端部３２とを有している。針カバー１０は、内部に長手方向に延びる溝部３６を有しており、当該溝部３６には、側面に沿いつつ且つ閉塞端部３２から離れるように下向きに延びるノッチ３８，４０と、開放端部３０において側面に沿って延びるノッチ４２とが設けられている。ピン４６を有する位置決めリング４４は、針カバー１０の内部に収容されている。位置決めリング４４は、カバー１０の上述したロック構造にて回転可能であるとともに、溝部３６に沿って長手方向に移動可能である。位置決めリング４４は、隙間５０（図２および図４に最もよく示されている）を介して、針ベース２４をしっかりと保持している。下唇２６は、ベース２４上での位置決めリング４４の動きを制限している。ピン４６は、長手方向に延びる溝部３６に沿って位置決めリング４４をガイドするとともに、位置決めリング４４を取り外し可能なかたちで長手方向に延びる溝部３６と係合させるために回転することができる。位置決めリング４４が溝部３６の一部と係合すると、針アセンブリ１２は、針カバー１０に対して長手方向の適切な位置に固定される。位置決めリング４４は、適当なプラスチック材から構成することができ、必要に応じて弾性あるいは剛性を有する。
【００２７】
位置決めリング４４と一体となっているバネ４８は、位置決めリング４４の上端部から、針カバー１０の閉塞端部３２まで延びている。バネ４８は、針カバー１０をその安静位に付勢する。ピン４６が複数の固定フォーメイションの１つに固定されておらず、且つ、針２２が患者に挿入されているときには、針カバー１０は、当該患者の皮膚に支えられて付勢される。これにより、針２２が患者から抜かれると、自動的に当該針２２がカバーされることが可能となる。したがって、使用者は、どの段階においても、血液の付着した針２に曝されることがない。
【００２８】
使用においては、患者の皮膚によって及ぼされる反対圧力が、ピン４６をロック構造から緩ませる。操作可能なロック構造３０，３２からピン４６を離すように付勢するためにバネ４８に張力がかけられて、これにより、当該操作可能なロック構造を避けると同時に、自動的に針カバー１０に針２２をしっかりとカバーする。加えて、張力がかかったバネ４８は、当該操作可能なロック構造に対して反対側にある安静位のロック構造に向けて位置決めリング４４を付勢させる。長手方向に延びる溝部３６にあるピン４６が回転せず且つ調心しない状態では、針２２の偶発的な配置転換は起こらない。
【００２９】
当該操作可能なロック構造は、使用者に所望の操作位置を選択させることを可能にする。当該位置とは、挿入する深さに対応する。
【００３０】
針カバー１０は、注射器ごとの径に適合する径を有して構成される。
【００３１】
図７および図８は、本発明の第２形態を示す図であり、ベース２４が引き伸ばされた構造になっていて、注射器のノズルから針プロテクターが離れている構成である。プロテクターの針カバーは、伸長したベース２４を長手方向のみに移動し、注射器を覆わない。これにより、注射器のサイズに制限がなく、本発明のプロテクターを用いることができる。
【００３２】
本発明は、上述した形態および図に示した詳細に限定されるものではない。本発明の精神に基づいてあらゆる改変が可能である。例えば、針カバーは、バネの自由端に係合するために閉塞端部に向けて配設される内部ステップを有していてもよい。当該ステップは、バネに安静位の固定位置に向けた回転張力をかけるために、１つの傾斜面を有している。位置決めリングは、その周囲に沿って更に複数のピンを有していてもよい。このような位置決めリングは、相互の長手方向の溝に合うように用いられ、これにより、使用中の針に対して付加的な安定を提供することができる。
【００３３】
請求項および発明の概要は、本発明の形態の複合的な特徴を構成している。
【図面の簡単な説明】
【００３４】
【図１】本発明に係る針カバーを有した針−注射器アセンブリの側面図である。
【図２】図１に示した線分Ａ−Ａ´における針−針カバーアセンブリを示した側面図である。
【図３】図１に示す針−針カバーアセンブリの透視上面図である。
【図４】針カバーが無い状態の針−注射器アセンブリを示す透視側面図である。
【図５】針アセンブリと、注射器から外したカバーとを示した透視側面図である。
【図６】本発明に係るバネアセンブリの透視上面図である。
【図７】本発明に係るバネアセンブリの透視上面図である。
【図８】本発明に係るバネアセンブリの透視上面図である。
【手続補正２】
【補正対象書類名】特許請求の範囲
【補正対象項目名】全文
【補正方法】変更
【補正の内容】
【特許請求の範囲】
【請求項１】
針アセンブリと注射器シリンダの一部とに適合するように構成された開放端部を有するとともに、針アセンブリの針を通すことができる開口部を有する閉塞端部を有する、スリーブと、
針アセンブリと係合する開口部が設けられた位置決め部材であって、当該位置決め部材を取り外し可能なかたちで係合するための少なくとも１つの構造を有する上記スリーブの内部に配設された位置決め部材と、
上記位置決め部材と上記スリーブの上記閉塞端部との間の上記スリーブの内部に配設された付勢部材と、
を備えており、
上記スリーブは、当該スリーブの長手方向に延びる軸に沿って安静位と操作位置との間を移動可能であり、
上記位置決め部材は、上記閉塞端部に対抗する作動力が働くことによって上記操作位置から外れることを特徴とする、皮下注射針のプロテクター。
【請求項２】
上記閉塞端部に近接した上記スリーブの内部に、付勢部材に係合するステップが設けられていることを特徴とする請求項１に記載の、皮下注射針のプロテクター。
【請求項３】
上記付勢部材によって係合される部分である上記ステップは、傾斜していて、且つ、上記スリーブから離れていくに従って細くなっていることを特徴とする請求項２に記載の、皮下注射針のプロテクター。
【請求項４】
上記閉塞端部は、上記開口部を通じた上記針の通過をガイドするための内部ガイドチャネルを有していることを特徴とする請求項１から３までの何れか１項に記載の、皮下注射針のプロテクター。
【請求項５】
上記付勢部材は、上記位置決め部材と一体的に構成されていることを特徴とする請求項１から４までの何れか１項に記載の、皮下注射針のプロテクター。
【請求項６】
上記皮下注射針のプロテクターの使用時には、上記構造に上記位置決め部材を係合させることによって、上記スリーブが、安静位および操作位置の少なくとも何れかに、取り外し可能なかたちで保持されることを特徴とする請求項１から５までの何れか１項に記載の、皮下注射針のプロテクター。
【請求項７】
上記位置決め部材は、上記スリーブの上記構造に係合したり外したりして、当該スリーブの長手方向に延びる軸に沿って回転可能で移動可能な構成であることを特徴とする請求項１から６までの何れか１項に記載の、皮下注射針のプロテクター。
【請求項８】
上記内部ガイドチャネルは、そのベース部分にロック機構を有しており、上記位置決め部材は、当該ロック機構を通じて、回転可能にガイドされ且つ固定されることを特徴とする請求項１から７までの何れか１項に記載の、皮下注射針のプロテクター。
【請求項９】
上記ロック機構は、上記内部ガイドチャネルに係合したピンが通過する狭い部分を、当該チャネルの上記ベース部分に沿って有しており、且つ、当該ピンが収容される拡張部分を有していることを特徴とする請求項８に記載の、皮下注射針のプロテクター。
【請求項１０】
針アセンブリと注射器シリンダ伸長部の少なくとも一部とに適合するように構成された開放端部を有するとともに、針アセンブリの針を通すことができる開口部を有する閉塞端部を有する、スリーブと、
針アセンブリと係合する開口部が設けられた位置決め部材であって、当該位置決め部材を取り外し可能なかたちで係合するための少なくとも１つの構造を有する上記スリーブの内部に配設された位置決め部材と、
上記位置決め部材と上記スリーブの上記閉塞端部との間の上記スリーブの内部に配設された付勢部材と、を備えており、
上記スリーブは、当該スリーブの長手方向に延びる軸に沿って安静位と操作位置との間を移動可能であり、
上記位置決め部材は、上記閉塞端部に対抗する作動力が働くことによって上記操作位置から外れることを特徴とする、皮下注射針のプロテクター。
【請求項１１】
上記閉塞端部に近接した上記スリーブの内部に、付勢部材に係合するステップが設けられており、
上記付勢部材によって係合される部分である上記ステップは、傾斜していて、且つ、上記スリーブから離れていくに従って細くなっていることを特徴とする請求項１０に記載の、皮下注射針のプロテクター。
【請求項１２】
上記付勢部材は、上記位置決め部材と一体的に構成されていることを特徴とする請求項１０または１１に記載の、皮下注射針のプロテクター。
【請求項１３】
上記皮下注射針のプロテクターの使用時には、上記構造に上記位置決め部材を係合させることによって、上記スリーブが、安静位および操作位置の少なくとも何れかに、取り外し可能なかたちで保持されることを特徴とする請求項１０から１２までの何れか１項に記載の、皮下注射針のプロテクター。
【請求項１４】
上記内部ガイドチャネルは、そのベース部分にロック機構を有しており、上記位置決め部材は、当該ロック機構を通じて、回転可能にガイドされ且つ固定されることを特徴とする請求項１０から１３までの何れか１項に記載の、皮下注射針のプロテクター。
【手続補正３】
【補正対象書類名】図面
【補正対象項目名】図４
【補正方法】変更
【補正の内容】
【図４】
2011519700.tif 000009
【手続補正４】
【補正対象書類名】図面
【補正対象項目名】図５
【補正方法】変更
【補正の内容】
【図５】
2011519700.tif 000010
【手続補正５】
【補正対象書類名】図面
【補正対象項目名】図７
【補正方法】追加
【補正の内容】
【図７】
2011519700.tif 000011
【手続補正６】
【補正対象書類名】図面
【補正対象項目名】図８
【補正方法】追加
【補正の内容】
【図８】
2011519700.tif 000012
【国際調査報告】
2011519700.tif 000013
2011519700.tif 000014